(57)【要約】【課題】エリアに応じて、自動的にエリアに対応した設定を変更する。【解決手段】受信部４６は、受信した信号を復調処理する。測定部５４は、受信した制御信号に対して、それぞれの受信電力値を測定する。取得部５６は、測定部５４で測定した受信電力値の中から最大の受信電力値を検出し、検出した受信電力値に対応した基地局ＩＤを取得する。記憶部５８は、所定の設定をする際に取得した基地局ＩＤを記憶する。確認部６０は、記憶部５８に記憶した基地局ＩＤと、着信する場合に取得部５６が取得した基地局ＩＤの一致を確認する。一致した場合は、記憶部５８に記憶した設定をインターフェース部５０に対して出力する。信号処理部４８は、受信部４６で復調した信号に対して処理を実行する。送信部４４は、信号を変調処理する。インターフェース部５０は、ユーザとのインターフェース機能を備える。【選択図】        図３
2004297623.tif 000002
【特許請求の範囲】
【請求項１】
通信可能な複数の基地局装置から、基地局装置の識別情報を含んだ信号をそれぞれ受信する受信部と、
複数の前記受信した信号のうち電力値の大きい信号から、基地局装置の識別情報を取得する識別情報取得部と、
着信通知の設定を受けつける設定受付部と、
前記取得した基地局装置の識別情報と前記着信通知の設定を対応付けて記憶する記憶部と、
所定の基地局装置から着信する場合、その際に通信可能な複数の基地局装置から受信した信号のうち、電力値の大きい信号に含まれた基地局装置の識別情報を再取得し、前記再取得した基地局装置の識別情報と前記記憶した基地局装置の識別情報が一致すれば、前記着信通知の設定を実行する処理部と、
を含むことを特徴とする無線装置。
【請求項２】
通信可能な複数の基地局装置から、基地局装置の識別情報を含んだ信号をそれぞれ受信する受信部と、
複数の前記受信した信号から、複数の基地局装置の識別情報をそれぞれ取得する識別情報取得部と、
着信通知の設定を受けつける設定受付部と、
前記取得した複数の基地局装置の識別情報と前記着信通知の設定を対応付けて記憶する記憶部と、
所定の基地局装置から着信する場合、その際に通信可能な複数の基地局装置から受信した信号に含まれた複数の基地局装置の識別情報をそれぞれ再取得し、前記再取得した複数の基地局装置の識別情報のいずれかが、前記記憶した複数の基地局装置の識別情報のいずかと一致すれば、前記着信通知の設定を実行する処理部と、
を含むことを特徴とする無線装置。
【請求項３】
通信可能な複数の基地局装置から、基地局装置の識別情報より上位の識別情報を含んだ信号をそれぞれ受信する受信部と、
複数の前記受信した信号から、複数の基地局装置の識別情報より上位の識別情報をそれぞれ取得する識別情報取得部と、
着信通知の設定を受けつける設定受付部と、
前記取得した上位の識別情報と前記着信通知の設定を対応付けて記憶する記憶部と、
所定の基地局装置から着信する場合、その際に通信可能な複数の基地局装置から受信した信号に含まれた上位の識別情報を再取得し、前記再取得した上位の識別情報と前記記憶した上位の識別情報が一致すれば、前記着信通知の設定を実行する処理部と、
を含むことを特徴とする無線装置。
【発明の詳細な説明】
【０００１】
【発明の属する技術分野】
本発明は無線装置に関する。特に、基地局装置からの着信を受けた位置に応じて異なった設定を実行する無線装置に関する。
【０００２】
【従来の技術】
従来より簡易型携帯電話システムの端末装置は、屋外において所定の公衆基地局装置を介して相手と交信し、屋内では自営基地局装置を親機として相手と交信する。通常、端末装置は公衆基地局装置からの制御信号に含まれたＩＤ等のデータにもとづいて、自動的に自分がどのサービスエリアにいるかを認識し、当該サービスエリアを常時システムに知らせている。
【０００３】
使用者は通常、屋外で使用する場合は端末装置を携帯しているので着信音の音量を小さく設定し、屋内で使用する場合は身体から離しておく場合が多いので着信音の音量を大きく設定している。また使用者は、屋外では周囲の雑音が大きい場合が多いので受話音の音量を大きく設定し、屋内では静かな場合が多いので受話音の設定を小さくすることが多い。通常、このような設定は使用者によって手動的になされる。さらに、公衆基地局装置あるいは自営基地局装置からの制御信号を受信し、当該制御信号に含まれたＩＤをもとに公衆基地局装置あるいは自営基地局装置への接続を認識して、接続した基地局装置の種類に応じて着信音等の設定を自動的に変更する場合もある（例えば、特許文献１参照。）。
【０００４】
【特許文献１】
特開平９−６４９４５号公報
【０００５】
【発明が解決しようとする課題】
公衆基地局装置に接続する場合でも、公衆基地局装置のエリアに応じて例えば着信音の音量を変更したい場合がある。例えば、ひとつの公衆基地局装置のエリアでも劇場や映画館および公共交通機関においては着信音を消し、工事現場などでは着信音の音量を可能な限り大きくするようにしたいことがある。公衆基地局装置のエリアに応じて異なった設定をする場合、公衆基地局装置のエリアの検出精度が要求される。また、設定可能なエリアが狭ければ、使用者が設定する回数が増加し、利用上不便になる。さらに、設定手順もより簡易なほうが望ましい。
【０００６】
本発明者はこうした状況を認識して、本発明をなしたものであり、その目的は、公衆基地局装置の設置されたエリアに応じて設定を自動的に変更可能な無線装置を提供することである。また、公衆基地局装置の設置されたエリアを高精度に推定し、推定結果に応じて設定を変更可能な無線装置を提供することである。また、公衆基地局装置の設置されたエリアに応じた設定を簡略化した無線装置を提供することである。
【０００７】
【課題を解決するための手段】
本発明のある態様は、無線装置である。この装置は、通信可能な複数の基地局装置から、基地局装置の識別情報を含んだ信号をそれぞれ受信する受信部と、複数の受信した信号のうち電力値の大きい信号から、基地局装置の識別情報を取得する識別情報取得部と、着信通知の設定を受けつける設定受付部と、取得した基地局装置の識別情報と着信通知の設定を対応付けて記憶する記憶部と、所定の基地局装置から着信する場合、その際に通信可能な複数の基地局装置から受信した信号のうち、電力値の大きい信号に含まれた基地局装置の識別情報を再取得し、再取得した基地局装置の識別情報と前記記憶した基地局装置の識別情報が一致すれば、着信通知の設定を実行する処理部とを含む。
【０００８】
「電力値の大きい信号」は、相対的に比較して選択する場合や所定のしきい値と比較して選択する場合も含み、その個数はひとつでなくてもよいとする。
以上の装置により、受信電力値の大きさにもとづいて、基地局装置の識別情報の一致を判定しているため、エリアの特定精度を向上可能である。
【０００９】
本発明の別の態様も、無線装置である。この装置は、通信可能な複数の基地局装置から、基地局装置の識別情報を含んだ信号をそれぞれ受信する受信部と、複数の受信した信号から、複数の基地局装置の識別情報をそれぞれ取得する識別情報取得部と、着信通知の設定を受けつける設定受付部と、取得した複数の基地局装置の識別情報と着信通知の設定を対応付けて記憶する記憶部と、所定の基地局装置から着信する場合、その際に通信可能な複数の基地局装置から受信した信号に含まれた複数の基地局装置の識別情報をそれぞれ再取得し、再取得した複数の基地局装置の識別情報のいずれかが、記憶した複数の基地局装置の識別情報のいずかと一致すれば、着信通知の設定を実行する処理部とを含む。
【００１０】
以上の装置により、設定する場合と着信する場合における基地局装置の識別情報のいずれかの一致を判定しているため、設定したエリアより広い範囲のエリアで該設定の着信通知が使用可能である。
【００１１】
本発明のさらに別の態様も、無線装置である。この装置は、通信可能な複数の基地局装置から、基地局装置の識別情報より上位の識別情報を含んだ信号をそれぞれ受信する受信部と、複数の受信した信号から、複数の基地局装置の識別情報より上位の識別情報をそれぞれ取得する識別情報取得部と、着信通知の設定を受けつける設定受付部と、取得した上位の識別情報と着信通知の設定を対応付けて記憶する記憶部と、所定の基地局装置から着信する場合、その際に通信可能な複数の基地局装置から受信した信号に含まれた上位の識別情報を再取得し、再取得した上位の識別情報と記憶した上位の識別情報が一致すれば、着信通知の設定を実行する処理部とを含む。
【００１２】
「上位の識別情報」は、基地局装置の識別情報と別個である必要はなく、基地局装置の識別情報の一部に含まれていてもよいものとする。
以上の装置により、基地局装置の識別情報をより上位の識別情報の一致によって判定しているため、設定したエリアより広い範囲のエリアで設定を使用可能である。
なお、以上の構成要素の任意の組合せ、本発明の表現を方法、装置、システム、記録媒体、コンピュータプログラムなどの間で変換したものもまた、本発明の態様として有効である。
【００１３】
【発明の実施の形態】
（実施の形態１）
実施の形態１は、所定の基地局装置に対応した着信音等の設定がなされ、当該基地局装置からの着信に対し設定した処理を実行する無線装置に関する。特に、簡易型携帯電話システムを対象とする。所定の基地局装置に接続可能なエリアは、一般的に簡易型携帯電話システムにおいても半径約１００ｍ以上あるので、着信があった基地局装置の基地局ＩＤだけにもとづいても位置の特定精度が正確でない。特に、ひとつの基地局装置に接続可能なエリアの中に、劇場と駅などの着信音量を変えて設定したいようなエリアがある場合には、上述の設定では不十分となる。
【００１４】
本実施の形態における無線装置は、設定する際に、設定する位置から接続可能な基地局装置を検索し、検索した基地局装置の中から最も受信電力の大きい基地局装置に対して、所定の設定を行う。さらに所定の基地局装置からの着信があった場合に、その位置から接続可能な基地局装置を検索し、検索した基地局装置の中から最も受信電力の大きい基地局装置を特定する。特定した基地局装置と設定対象の基地局装置が一致する場合に、設定に対する処理を実行する。
【００１５】
図１は、実施の形態１に係る簡易型携帯電話システム１００を示す。図１は、基地局装置１０と総称される第１基地局装置１０ａ、第２基地局装置１０ｂ、第３基地局装置１０ｃ、第４基地局装置１０ｄ、端末装置１２を含む。
基地局装置１０は、図示しない公衆回線に接続されており、それぞれの基地局装置１０の基地局ＩＤを制御信号に含めて送信する。また、それぞれの基地局装置１０のエリアの環境は異なっているものとし、例えば、第１基地局装置１０ａは劇場に設置され、第４基地局装置１０ｄは駅に設置されているものとする。
【００１６】
端末装置１２は、４つの基地局装置１０と接続可能であるが、通信する際にはいずれかの基地局装置１０と接続する。
図２は、基地局装置１０の構成を示す。基地局装置１０は、基地局用アンテナ１４、ＲＦ部１６、送信部１８、受信部２０、制御部２２、信号処理部２４、ネットワークインターフェース部２６、記憶部２８を含む。
【００１７】
ＲＦ部１６は、ベースバンドの信号と無線周波数の信号間の周波数変換処理、増幅処理、ＡＤまたはＤＡ変換処理等を行う。また、基地局用アンテナ１４を接続する。
受信部２０は、受信した信号を復調処理する。ここでは、簡易型携帯電話システム１００を想定しているため、一般に変調方式π／４シフトＱＰＳＫ（Ｑｕａｄｒａｔｕｒｅ  Ｐｈａｓｅ  Ｓｈｉｆｔ  Ｋｅｙｉｎｇ）で変調された受信信号に対して、遅延検波処理する。
【００１８】
信号処理部２４は、受信部２０で復調した信号に対して処理を実行する。
ネットワークインターフェース部２６は、公衆回線３０とのインターフェース機能を備え、通信プロトコルの変換等を実行する。
送信部１８は、信号を変調処理する。その際、記憶部２８に記憶した基地局ＩＤを含んだ制御信号も変調処理する。
制御部２２は、基地局装置１０のタイミング制御等を実行する。
【００１９】
この構成は、ハードウエア的には、任意のコンピュータのＣＰＵ、メモリ、その他のＬＳＩで実現でき、ソフトウエア的にはメモリのロードされた予約管理機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００２０】
図３は、端末装置１２の構成を示す。端末装置１２は、端末用アンテナ４０、ＲＦ部４２、送信部４４、受信部４６、信号処理部４８、インターフェース部５０、制御部５２、測定部５４、取得部５６、記憶部５８を含み、信号処理部４８は、確認部６０を含み、インターフェース部５０は、スピーカ部６２、マイク部６４、ＬＣＤ部６６、キー操作部６８を含む。
【００２１】
ＲＦ部４２は、ベースバンドの信号と無線周波数の信号間の周波数変換処理、増幅処理、ＡＤまたはＤＡ変換処理等を行う。また、端末用アンテナ４０を接続する。
受信部４６は、受信した信号を復調処理する。ここでは、簡易型携帯電話システム１００を想定しているため、一般に変調方式π／４シフトＱＰＳＫで変調された受信信号に対して、遅延検波処理する。
【００２２】
測定部５４は、制御信号を受信した基地局装置１０に対して、それぞれの受信電力値を測定する。受信電力値の測定方法はいかなる方法でもよく、例えば、ＲＳＳＩを使用してもよい。なお、受信電力値の測定は、着信音等の所定の設定をする場合と着信する場合に所定の設定にもとづいた処理を実行する場合になされる。
取得部５６は、測定部５４で測定した受信電力値の中から最大の受信電力値を検出し、検出した受信電力値に対応した基地局ＩＤを取得する。
【００２３】
記憶部５８は、所定の設定をする際に取得した基地局ＩＤを記憶する。図４は、記憶部５８に記憶された設定内容を示す。取得した基地局ＩＤに対応した着信音、着信音の音量、バイブレーション機能のＯＮ／ＯＦＦが設定されている。なお、ここでは最大の受信電力値に対応した基地局ＩＤについての設定を記憶しているが、これ以外にも取得部５６で所定の設定をする場合の基地局ＩＤをその受信電力値が大きい順にソートし、それらすべての基地局ＩＤを記憶してもよい。なお、記憶部５８は、端末装置１２の内部に設けられてもよい。
【００２４】
確認部６０は、記憶部５８に記憶した基地局ＩＤと、着信する場合に取得部５６が取得した基地局ＩＤの一致を確認する。一致した場合は、記憶部５８に記憶した設定を後述のインターフェース部５０に対して出力する。また、記憶部５８が受信電力値の大きい順にソートされた基地局ＩＤを記憶している場合には、着信において取得部５６から、受信電力値の大きい順にソートされた基地局ＩＤを取得し、両者の基地局ＩＤの順番が一致した場合に、記憶部５８に記憶した設定を後述のインターフェース部５０に対して出力してもよい。
【００２５】
信号処理部４８は、受信部４６で復調した信号に対して処理を実行する。
送信部４４は、信号を変調処理する。
インターフェース部５０は、ユーザとのインターフェース機能を備え、記憶部５８に記憶された設定に対して、例えば、スピーカ部６２が着信音の種類と音量を変更して出力し、ＬＣＤ部６６が表示内容を変更して表示する。そのほかにも入力のためにマイク部６４、キー操作部６８を備える。
制御部５２は、端末装置１２のタイミング制御等を実行する。
【００２６】
図５は、ＬＣＤ部６６における設定画面を示す。ここでは、着信音の種類、音量、バイブレーション機能のＯＮ／ＯＦＦを設定している。設定項目はこれ以外でもよい。
【００２７】
図６は、設定手順を示すフローチャートである。受信部４６が受信した信号のうち、基地局ＩＤが未知の基地局装置１０が存在する場合（Ｓ１０のＹ）、測定部５４が受信電力値とそれに対応した基地局ＩＤを取得する（Ｓ１２）。接続可能なすべての基地局ＩＤを取得した場合（Ｓ１０のＮ）、取得部５６は、最大の受信電力値に対応した基地局ＩＤを選択する（Ｓ１４）。ユーザはキー操作部６８を介して、所定の設定を入力する（Ｓ１６）。記憶部５８は、所定の設定と選択した基地局ＩＤを対応付けて記憶する（Ｓ１８）。
【００２８】
図７は、設定に従った処理を示すフローチャートである。受信部４６が基地局からの着信を確認する（Ｓ２０）。測定部５４が通信可能な基地局装置１０の基地局ＩＤと受信電力値を取得する（Ｓ２２）。取得部５６が、最大の受信電力値に対応した基地局ＩＤを選択し、確認部６０が当該基地局ＩＤが記憶部５８に記憶されているかを確認し、記憶されている場合には（Ｓ２４のＹ）、インターフェース部５０が対応した設定を実行する（Ｓ２６）。一方、基地局ＩＤが記憶部５８に記憶されていない場合は（Ｓ２４のＮ）、予め規定された設定を実行する（Ｓ２８）。
【００２９】
以上の構成による端末装置１２の動作を説明する。所定の設定を行う場合に、測定部５４は接続可能な基地局装置１０の受信電力値を測定し、取得部５６は最大の受信電力値に対応した基地局ＩＤを取得する。記憶部５８は、インターフェース部５０から入力された設定と取得部５６で取得された基地局ＩＤを対応させて記憶する。基地局装置１０からの着信があった場合に、測定部５４は接続可能な基地局装置１０の受信電力値を測定し、取得部５６は最大の受信電力値に対応した基地局ＩＤを取得する。確認部６０は、取得した基地局ＩＤと記憶部５８に記憶した基地局ＩＤが一致する場合に、記憶部５８に記憶した処理をインターフェース部５０が実行する。
【００３０】
以上の構成による端末装置１２の動作は、以下の通りであってもよい。所定の設定を行う場合に、測定部５４は接続可能な基地局装置１０の受信電力値を測定し、取得部５６は受信電力値を大きい順にソートし、それらに対応した基地局ＩＤをそれぞれ取得する。記憶部５８は、インターフェース部５０から入力された設定と取得部５６で取得された基地局ＩＤを対応させて記憶する。基地局装置１０からの着信があった場合に、測定部５４は接続可能な基地局装置１０の受信電力値を測定し、取得部５６は受信電力値を大きい順にソートし、それらに対応した基地局ＩＤをそれぞれ取得する。確認部６０は、取得した基地局ＩＤの順番と記憶部５８に記憶した基地局ＩＤの順番が一致する場合に、記憶部５８に記憶した処理をインターフェース部５０が実行する。
【００３１】
本実施の形態によれば、設定する場合における基地局ＩＤと着信する場合における基地局ＩＤの一致を受信電力値をもとに判断しているため、基地局装置との距離を考慮したエリアの特定が可能になり、その結果、エリアの特定精度が向上する。
【００３２】
（実施の形態２）
実施の形態２は、実施の形態１と同様に所定の基地局装置に対応した着信音等の設定がなされ、当該基地局装置からの着信に対し設定した処理を実行する無線装置に関する。実施の形態１は、基地局装置のエリアの特定をより高精度にするが、実施の形態２は、設定したエリアより広いエリアにおいて、設定した処理を実行する場合に対応する。本実施の形態における無線装置は、設定する場合に、設定する位置から接続可能な基地局装置を検索し、検索した基地局装置に対応させて所定の設定を行う。さらに所定の基地局装置からの着信があった場合に、その位置から接続可能な基地局装置を検索し、検索した基地局装置と設定対象の基地局装置のうちいずれかが一致する場合に、設定に対する処理を実行する。
【００３３】
実施の形態２における簡易型携帯電話システム１００として、図１に示されるものが、また基地局装置１０として、図２に示されるものが有効である。
図８は、実施の形態２に係る端末装置１２の構成を示す図である。図３の端末装置１２と比較して、測定部５４、確認部６０がなく、代わりに判定部７０が追加されている。
【００３４】
取得部５６は、受信部４６で受信した信号に対応した基地局ＩＤを取得する。なお、基地局ＩＤの取得は所定の設定をする場合と、着信する場合に実行する。記憶部５８は、所定の設定をする場合に取得した基地局ＩＤを記憶する。図９は、記憶部５８に記憶された設定内容を示す。取得した複数の基地局ＩＤに対応した着信音、着信音の音量、バイブレーション機能のＯＮ／ＯＦＦが設定されている。
【００３５】
判定部７０は、着信する場合に取得部５６が取得した基地局ＩＤのうちのいずれかと、記憶部５８に記憶した基地局ＩＤのいずれかの一致を判定する。一致する場合には、記憶部５８に記憶した処理の実行をインターフェース部５０に指示する。
【００３６】
実施の形態２における設定手順を示すフローチャートとして、図６に示されるものが有効である。しかし、ステップ１２において受信電力値の測定が不要になり、ステップ１４の処理も不要になる。その結果、ステップ１８では、記憶部５８が取得したすべての基地局ＩＤを記憶する。
【００３７】
図１０は、設定に従った処理を示すフローチャートである。受信部４６が基地局からの着信を確認する（Ｓ３０）。取得部５６が通信可能な基地局装置１０の基地局ＩＤを取得する（Ｓ３２）。判定部７０が、取得した基地局ＩＤのいずれかが記憶部５８に記憶されているかを確認し、記憶されている場合には（Ｓ３４のＹ）、インターフェース部５０が対応した設定を実行する（Ｓ３６）。一方、基地局ＩＤが記憶部５８に記憶されていない場合は（Ｓ３４のＮ）、予め規定された設定を実行する（Ｓ３８）。
【００３８】
以上の構成による端末装置１２の動作を説明する。所定の設定を行う場合に、取得部５６は接続可能な基地局装置１０に対応した基地局ＩＤを取得する。記憶部５８は、インターフェース部５０から入力された設定と取得部５６で取得された基地局ＩＤを対応させて記憶する。基地局装置１０からの着信があった場合に、取得部５６は接続可能な基地局装置１０に対応した基地局ＩＤを取得する。判定部７０は、取得した基地局ＩＤと記憶部５８に記憶した基地局ＩＤのいずれかが一致する場合に、記憶部５８に記憶した処理をインターフェース部５０が実行する。
【００３９】
本実施の形態によれば、設定する場合における基地局ＩＤと着信する場合における基地局ＩＤの一致をそれらの中のひとつの基地局ＩＤをもとに判断しているため、設定した基地局装置のエリアより広いエリアで設定の使用が可能となり、その結果、設定の利便性が向上する。
【００４０】
（実施の形態３）
実施の形態３は、これまでの実施の形態と同様に所定の基地局装置に対応した着信音等の設定がなされ、当該基地局装置からの着信に対し設定した処理を実行する無線装置に関する。本実施の形態において、基地局装置は基地局ＩＤに加えて、より上位の概念に相当したエリアの識別情報を送信する。無線装置は、設定する際に、設定する位置から接続可能な基地局装置におけるエリアの識別情報を取得し、取得したエリアの識別情報に対して、所定の設定を行う。さらに所定の基地局装置からの着信があった場合に、エリアの識別情報を再び取得し、取得したエリアの識別情報と設定対象のエリアの識別情報が一致する場合に、設定に対応した処理を実行する。
【００４１】
図１１は、実施の形態３に係る簡易型携帯電話システム１００の概念を示す。図１１には、図１に加えて第５基地局装置１０ｅ、第６基地局装置１０ｆ、第７基地局装置１０ｇ、第８基地局装置１０ｈが含まれる。ここでは、それぞれの基地局装置１０には、基地局ＩＤのほかにエリアＩＤが設定されている。例えば図示のとおり、第１基地局装置１０ａから第４基地局装置１０ｄに対してエリアＩＤ１が設定され、第５基地局装置１０ｅから第８基地局装置１０ｈに対してエリアＩＤ２が設定される。また、それぞれの基地局装置１０は、基地局ＩＤに加えてエリアＩＤを制御信号に含んで送信する。
【００４２】
実施の形態３における基地局装置１０として図２に示されるものが、端末装置１２として図８に示されるものが有効である。ただし、図２の基地局装置１０における記憶部２８は、基地局ＩＤに加えてエリアＩＤも記憶し、図８の端末装置１２における取得部５６は、エリアＩＤを取得するものとする。
【００４３】
図１２は、記憶された設定内容を示す。取得したエリアＩＤに対応した着信音、着信音の音量、バイブレーション機能のＯＮ／ＯＦＦが設定されている。
実施の形態３における設定手順を示すフローチャートとして、図６に示されるものが有効である。ただし、基地局ＩＤに対する処理がエリアＩＤに対する処理に変更され、受信電力値の測定も行わないものとする。
【００４４】
実施の形態３における設定に従った処理を示すフローチャートとして、図１０に示されるものが有効である。ただし、基地局ＩＤに対する処理がエリアＩＤに対する処理に変更されるものとする。
【００４５】
以上の構成による端末装置１２の動作を説明する。所定の設定を行う際に、取得部５６は接続可能な基地局装置１０に対応したエリアＩＤを取得する。記憶部５８は、インターフェース部５０から入力された設定と取得部５６で取得されたエリアＩＤを対応させて記憶する。基地局装置１０からの着信があった場合に、取得部５６は接続可能な基地局装置１０に対応したエリアＩＤを取得する。判定部７０は、取得したエリアＩＤと記憶部５８に記憶したエリアＩＤが一致する場合に、記憶部５８に記憶した処理をインターフェース部５０が実行する。
【００４６】
本実施の形態によれば、設定する場合における基地局ＩＤと着信する場合における基地局ＩＤの一致をそれらの上位の識別情報に相当するエリアＩＤによって判断するため、設定した基地局装置のエリアより広いエリアで設定の使用が可能となり、その結果、設定の利便性が向上する。
【００４７】
以上、本発明を実施の形態をもとに説明した。この実施の形態は例示であり、それらの各構成要素や各処理プロセスの組合せにいろいろな変形例が可能なこと、またそうした変形例も本発明の範囲にあることは当業者に理解されるところである。
【００４８】
実施の形態１から３において、簡易型携帯電話システム１００を対象としたが、それ以外でもよく、例えば携帯電話システムや第３世代携帯電話システムにおいても適用可能である。本変形例によれば、本発明をさまざまな無線通信システムに適用可能となる。つまり、基地局装置１０から基地局装置１０の識別情報が送信されていればよい。
【００４９】
実施の形態１において、確認部６０は、記憶部５８に記憶した基地局ＩＤの順番と取得部５６で新たに取得した基地局ＩＤの順番との一致を確認している。しかしこれに限らず例えば、受信電力値が大きいものから、２個の基地局ＩＤや３個の基地局ＩＤなどの順番のみで一致を確認してもよい。本変形例によれば、処理が簡易になり、かつ受信電力値が小さい基地局装置の影響を受けなくなる。つまり、より詳細に位置が特定できればよい。
【００５０】
【発明の効果】
本発明によれば、公衆基地局装置の設置されたエリアに応じて設定を自動的に変更できる。
【図面の簡単な説明】
【図１】実施の形態１に係る簡易型携帯電話システムを示す構成図である。
【図２】図１の基地局装置の構成を示す図である。
【図３】図１の端末装置の構成を示す図である。
【図４】図３の記憶部に記憶された設定内容を示す図である。
【図５】図３の設定画面を示す図である。
【図６】図３の設定手順を示すフローチャートである。
【図７】図３の設定に従った処理を示すフローチャートである。
【図８】実施の形態２に係る端末装置の構成を示す図である。
【図９】図８の記憶部に記憶された設定内容を示す図である。
【図１０】図８の設定に従った処理を示すフローチャートである。
【図１１】実施の形態３に係る簡易型携帯電話システムの概念を示す図である。
【図１２】図１１において記憶された設定内容を示す図である。
【符号の説明】
１０  基地局装置、  １２  端末装置、  １４  基地局用アンテナ、  １６  ＲＦ部、  １８  送信部、  ２０  受信部、  ２２  制御部、  ２４  信号処理部、  ２６  ネットワークインターフェース部、  ２８  記憶部、  ３０  公衆回線、  ４０  端末用アンテナ、  ４２  ＲＦ部、  ４４  送信部、  ４６  受信部、  ４８  信号処理部、  ５０  インターフェース部、  ５２  制御部、  ５４  測定部、  ５６  取得部、  ５８  記憶部、  ６０  確認部、  ６２  スピーカ部、  ６４  マイク部、  ６６  ＬＣＤ部、  ６８  キー操作部、  ７０
判定部、  １００  簡易型携帯電話システム。
【図１】
2004297623.tif 000003
【図２】
2004297623.tif 000004
【図３】
2004297623.tif 000005
【図４】
2004297623.tif 000006
【図５】
2004297623.tif 000007
【図６】
2004297623.tif 000008
【図７】
2004297623.tif 000009
【図８】
2004297623.tif 000010
【図９】
2004297623.tif 000011
【図１０】
2004297623.tif 000012
【図１１】
2004297623.tif 000013
【図１２】
2004297623.tif 000014